(57)【要約】      （修正有）【課題】設置作業が容易に行えると共に、車両の前後左右等の位置において撮影された映像を取得等することができる装置及びプログラムを提供する。【解決手段】ドライブレコーダーは、複数の車載カメラ１１０と、車両側映像合成装置１３０と、を車両メーカーからの出荷時から備えている車両に対し、車両メーカーからの出荷後に増設されるものである。ドライブレコーダーは、車載カメラ１１０と、車両側映像合成装置１３０と、の間を流れる映像信号を直接的あるいは間接的に取得する取得部２０と、取得部２０により取得された映像信号に所定の処理を行う処理部３０と、取得部２０により取得された映像信号を、車両メーカーからの出荷時に車両に装備されている車両側映像合成装置１３０に向けて直接的あるいは間接的に出力する出力部４０とを備えている。【選択図】図３
2020088705.tif 000002
【特許請求の範囲】
【請求項１】
車載カメラと、前記車載カメラから取得される映像を利用する車両側装置と、を車両メーカーからの出荷時から備えている車両に対し、車両メーカーからの出荷後に増設される装置であって、
前記車載カメラと前記車両側装置との間を流れる映像信号を直接的あるいは間接的に取得する取得部と、
前記取得部により取得された映像信号に所定の処理を行う処理部と、
前記取得部により取得された前記映像信号を、車両メーカーからの出荷時に前記車両に装備されている前記車両側装置に向けて直接的あるいは間接的に出力する出力部と、
を備えていることを特徴とする装置。
【請求項２】
前記車両側装置として、映像信号を加工した加工映像信号を出力可能なものを備えており、
前記取得部に前記加工映像信号を入力することにより、前記処理部において加工映像信号に対して所定の処理を行えることを特徴とする請求項１に記載の装置。
【請求項３】
車両に装備されている車載カメラから出力される映像信号を、未加工のまま前記取得部で取得し、前記処理部において処理可能であることを特徴とする請求項１又は２に記載の装置。
【請求項４】
前記処理部における処理の一部又は全部が、前記映像信号の記録又は通信による外部への出力のいずれか一方又は双方であることを特徴とする請求項１〜３のいずれかに記載の装置。
【請求項５】
通信回線に接続可能な通信部を備えており、
前記取得部において取得された映像信号の一部又は全部を前記通信部を介してそのまま出力する処理、
あるいは前記取得部において取得された映像信号の一部又は全部を処理部において処理してリアルタイムに前記通信部を介して出力する処理、
あるいは前記取得部において取得された映像信号の一部又は全部を処理部において処理したものを一旦記憶してから前記通信部を介して出力する処理、
の少なくともいずれかを行えることを特徴とする請求項１〜４のいずれかに記載の装置。
【請求項６】
外部メディアと接続可能なメディア接続部を備えており、
前記処理部において処理された映像信号の一部又は全部を、前記メディア接続部を介して出力可能であることを特徴とする請求項１〜５のいずれかに記載の装置。
【請求項７】
前記車載カメラが、車室外に配置されたものであることを特徴とする請求項１〜６のいずれかに記載の装置。
【請求項８】
車両メーカーからの出荷時から前記車両の周囲をセンシングするために装備されている所定のセンサーからの出力情報をトリガとして前記処理部において前記映像信号を処理することを特徴とする請求項１〜８のいずれかに記載の装置。
【請求項９】
前記車両が、所定の条件を満足することを条件として、危険を回避するための危険回避動作を実行するものであり、
前記危険回避動作の実行トリガとなる信号に基づいて、前記処理部において前記映像信号を処理することを特徴とする請求項１〜９のいずれかに記載の装置。
【請求項１０】
前記出力部から出力された前記映像信号が入力される前記車両側装置に隣接する位置に配置できることを特徴とする請求項１〜９のいずれかに記載の装置。
【請求項１１】
前記車両側装置が、複数の車載カメラから出力される映像信号を合成して合成映像を形成する映像合成装置であることを特徴とする請求項１〜１０のいずれかに記載の装置。
【請求項１２】
車種に応じて設定変更可能な車種設定部を有し、前記車種設定部の設定変更を行うことにより、設定に応じた処理を行うことを特徴とする請求項１〜１１のいずれかに記載の装置。
【請求項１３】
前記車両側装置の一部又は全部が、前記映像信号を受信して映像を表示可能な映像表示装置であり、
車両の運転状態を判別するための運転状態判別手段を有し、
前記運転状態に応じて前記映像表示装置への画像の表示形態を切替可能であると共に、前記映像表示装置への画像の表示時に選択されていた表示形態を記録可能であることを特徴とする請求項１〜１２のいずれかに記載の装置。
【請求項１４】
前記車両側装置の一部又は全部が、前記映像信号を受信して映像を表示可能な映像表示装置であり、
車両の運転状態を判別するための運転状態判別手段を有し、
前記運転状態に応じて前記映像表示装置への画像の表示形態を切替可能であると共に、前記映像表示装置への画像の表示時に選択されていた表示形態、及び時間情報を記録可能であることを特徴とする請求項１〜１３のいずれかに記載の装置。
【請求項１５】
前記車載カメラから出力される映像信号に加え、前記車載カメラとは別に、車両メーカーからの出荷後に前記車両に増設された増設カメラから出力される映像信号を前記取得部において取得し、前記処理部において処理可能なものであり、
前記増設カメラにより取得された映像と、前記車載カメラにより取得された映像とを区別して所定の処理を行えることを特徴とする請求項１〜１４のいずれかに記載の装置。
【請求項１６】
前記処理部において処理された映像信号に基づき、運転の安全度を評価する安全度評価部を備えていることを特徴とする請求項１〜１５のいずれかに記載の装置。
【請求項１７】
前記処理部において処理された映像信号に基づく所定の演算処理を行う演算部と、
通信回線に接続可能な通信部とを備えており、
前記演算部による演算処理結果を、前記通信部を介して出力可能であることを特徴とする請求項１〜１６のいずれかに記載の装置。
【請求項１８】
前記処理部において処理された映像信号に基づき、運転の安全度を評価する安全度評価部と、
通信回線に接続可能な通信部とを備えており、
前記安全度評価部による評価結果を、所定期間毎に前記通信部を介して出力可能であることを特徴とする請求項１〜１７のいずれかに記載の装置。
【請求項１９】
前記処理部において処理された映像信号に基づき、運転の安全度を評価する安全度評価部と、
前記安全度評価部による評価結果に基づいて、車両の運転に伴って発生する損害を保障する保険の保険料を導出する保険料導出部とを有することを特徴とする請求項１〜１８のいずれかに記載の装置。
【請求項２０】
請求項１〜１９のいずれかに記載の装置が搭載されていることを特徴とする車両側装置。
【請求項２１】
請求項１〜２０のいずれかに記載の装置の機能を制御手段に実行させるためのプログラム。
【発明の詳細な説明】
【技術分野】
【０００１】
本発明は、例えば装置およびプログラム等に関する。
【背景技術】
【０００２】
近年、運転者の利便性を高める様々な車載用の機器が販売されている。そのような機器として、例えば、ドライブレコーダのようにカメラにより画像を撮影可能としたものがある。
【先行技術文献】
【特許文献】
【０００３】
【特許文献１】特開２０１６−５７８２２号公報
【発明の概要】
【発明が解決しようとする課題】
【０００４】
ところで近年、あおり運転と呼ばれるような危険運転等が問題視されつつある。このような危険運転等による被害を受けた場合等に備え、その証拠となる映像を取得等すべく、例えば上述したドライブレコーダー等の装置やカメラ等を車両の前方だけではなく後方等の位置に設置したいという要望がある。
【０００５】
しかしながら、例えばドライブレコーダを車両の後方や側方等の位置に設置しようとすると、このような装置の設置のために配線を配索したりするための作業が必要となるという問題等、様々な問題がある。また、車両の後方や側方に別途カメラを設置しようとすると、配線の配索だけでなく、カメラを設置するための孔を車体に形成したりする等、さらに複雑な加工等が必要となる。
【０００６】
そこで本発明は、例えば、設置作業が容易に行えると共に、車両の前後左右等の位置において撮影された映像を取得等することなど、従来よりも優れた装置、及びプログラムを提供することを目的とする。
【０００７】
本願の発明の目的はこれに限定されず、本明細書および図面等に開示される構成の部分から奏する効果を得ることを目的とする構成についても分割出願・補正等により権利取得する意思を有する。例えば本明細書において「〜できる」と記載した箇所を「〜が課題である」と読み替えた課題が本明細書には開示されており、この課題を解決するための構成についても分割出願・補正等により権利取得する意思を有する。本出願人は本明細書に記載の構成の一部を補正または分割出願にて特許請求の範囲とする意思を有する。
【課題を解決するための手段】
【０００８】
（１）例えば、車載カメラと、前記車載カメラから取得される映像を利用する車両側装置と、を車両メーカーからの出荷時から備えている車両に対し、車両メーカーからの出荷後に増設される装置であって、前記車載カメラと前記車両側装置との間を流れる映像信号を直接的あるいは間接的に取得する取得部と、前記取得部により取得された映像信号に所定の処理を行う処理部と、前記取得部により取得された前記映像信号を、車両メーカーからの出荷時に前記車両に装備されている前記車両側装置に向けて直接的あるいは間接的に出力する出力部と、備えたものとすると良い。
【０００９】
このようにすれば、車載カメラにより撮影された映像を車両側装置において活用するだけでなく、車両メーカーからの出荷後に増設される本装置においても利用できる。また、車両メーカーからの出荷後の車両に対し、車載カメラの設置のために車両本体に穴開け等の加工を施したり、車載カメラに繋がる配線の配索作業等を行ったりすることなく使用できる。車載カメラ等の部品代や、車載カメラ等を設置するための工賃等、設置に要する費用を最小限に抑制することができる。
【００１０】
車両メーカーからの出荷時に車両に装備されている車載カメラから出力され、取得部において取得された映像信号を処理部において所定の処理を行うと共に、出力部を介して映像信号を車両側装置に向けて出力する構成とするとよい。これにより、車載カメラにより撮影された映像を車両側装置において活用するだけでなく、車両メーカーからの出荷時に増設される本発明の装置においても利用できる。
【００１１】
また、車両メーカーからの出荷時に車両に装備されている車載カメラを用いるものであり、車両メーカーからの出荷後に新たに車載カメラを車両に設置しなくても使用できる構成とするとよい。このようにすれば、車両メーカーからの出荷後の車両に対し、車載カメラの設置のために車両本体に穴開け等の加工を施したり、車載カメラに繋がる配線の配索作業等を行ったりすることなく使用できる。車載カメラ等の部品代や、車載カメラ等を設置するための工賃等、設置に要する費用を最小限に抑制することができる。
【００１２】
車両メーカーからの出荷時に車両に装備されている車載カメラを用いる構成とするとよい。このようにすれば、撮影に最適な位置や環境等に配置された車載カメラから取得された映像信号に対し、処理部において所定の処理を行うことができる。
【００１３】
車両メーカーからの出荷時に車両に装備されている車載カメラを用いる構成とするとよい。このようにすれば、同一の車種でれば車両によらず略一定の位置及び環境等において映像信号を取得し、処理部において所定の処理を行うことができる。
【００１４】
「車載カメラ」は、車両メーカーからの出荷時に車両に装備されているカメラであればいかなるものであっても良く、例えば車両に対していわゆる純正品や標準装備等として装備されているカメラを用いることができる。具体的には、本発明の装置におけるカメラには、車両前方に装備されているフロントカメラや、フロントサイドビューカメラ、車両側方に装備されているサイドビューカメラ、車両後方に装備されているバックカメラや電子ルームミラー用カメラ等、適宜のものを選択することができる。上述した「車載カメラ」の数は、いくつで有っても良いが、前述した様々なカメラを複数用いることが望ましい。
【００１５】
また、「車両メーカーからの出荷時から車両に装備されている車両側装置」は、映像信号が入力されるものであればいかなるものであっても良く、例えば車両に対していわゆる純正品や標準装備等として装備されている機器類とすることができる。具体的には、本発明の装置において車両メーカーからの出荷時から車両に搭載されている車両側装置には、例えば各種カメラから入力される映像の加工を行うために純正品として装備されている映像加工装置や、複数の映像を合成する合成映像機等の機器や、カーナビゲーション装置、レーダー装置、ドライブレコーダー、液晶モニター等の映像表示装置等、適宜のものを採用することができる。
【００１６】
また、「車両メーカーからの出荷時から備えている」ものとは、例えば標準装備の純正品として車両に設けられているものや、いわゆるメーカーオプションのように、ユーザーの希望に応じて車両メーカーが車両の製造時に設置するもの等とするとよい。一方、「車両メーカーからの出荷後に増設される装置」とは、例えばカーショップ等において車両メーカーからの出荷後の車両に対して後付けするために提供されている装置や、車両メーカーからの出荷後、カーディーラー等においてユーザーの要望に応じて取り付けられる部品等とするとよい。
【００１７】
また、「前記車載カメラと前記車両側装置との間を流れる映像信号」とは、車載カメラにより取得された映像に係る電気的信号のことであり、有線あるいは無線を問わず例えばＣＡＮ、ＬＡＮ等の通信回線を介して車載カメラと車両側装置との間を流れる映像信号全般を指す。映像信号が流れる回線の形式や、映像信号の種別等については何ら限定されない。
【００１８】
「取得部」は、車載カメラと車両側装置との間を流れる映像信号を直接的に取得するものであっても、間接的に取得するものであっても良い。例えば、取得部は、車載カメラと車両側装置とを有線あるいは無線で繋ぐ通信回線に対して直接的に接続され、映像信号を取得するものとするとよい。また、取得部は、車載カメラと車両側装置とを繋ぐ通信回線に対して例えば他の装置等を介して間接的に接続されるものとするとよい。
【００１９】
「処理部」は、取得部により取得された映像信号に所定の処理を行うものであればいかなるものであっても良い。処理部が行う所定の処理はいかなるものであっても良いが、特に映像信号を記録する記録処理や、映像信号を他の機器等と通信する通信処理、映像信号を例えばモニタ等の表示装置等に表示するための処理等とするとよい。
【００２０】
「出力部」は、取得部により取得された映像信号を、車両メーカーからの出荷時に車両に装備されている車両側装置に向けて直接的あるいは間接的に出力するものであればいかなるものであっても良い。例えば、出力部は、車両側装置との間を有線あるいは無線で繋ぐ通信回線に対して直接的に接続され、映像信号を出力するものであっても、車両側装置と繋がる通信回線に対して例えば他の装置等を介して間接的に接続されるものであっても良い。
【００２１】
（２）例えば前記車両側装置として、映像信号を加工した加工映像信号を出力可能なものを備えており、前記取得部に前記加工映像信号を入力することにより、前記処理部において加工映像信号に対して所定の処理を行うものとすると良い。
【００２２】
このようにすれば、取得部において車載カメラから取得された映像信号だけでなく、車両側装置において加工して得られた加工映像信号に対しても、処理部において所定の処理を行うことができる。これにより、車載カメラから取得された映像信号だけでなく、車両側装置において加工して得られた加工映像信号についても活用することができる。
【００２３】
処理部において加工映像信号に対して行われる「所定の処理」は、いかなるものであっても良いが、特に加工映像信号を記録する記録処理や、加工映像信号を他の機器等と通信する通信処理、加工映像信号を例えばモニタ等の表示装置等に表示するための処理等とすると良い。
【００２４】
（３）例えば車両に装備されている車載カメラから出力される映像信号を、未加工のまま前記取得部で取得し、前記処理部において処理可能なものとすると良い。
【００２５】
このようにすれば、車両メーカーからの出荷時に車両に装備されている車載カメラから出力された映像信号を未加工のまま取得して処理部での処理に活用できる。特に、例えば、フロントカメラや、フロントサイドビューカメラ、サイドビューカメラ、バックカメラ、電子ルームミラー用カメラ等、一又は複数のカメラから出力された映像信号をそのまま処理部において、例えば記録する処理や、他の機器等と通信する通信処理、例えばモニタ等の表示装置等に表示するための処理等とするとよい。
【００２６】
「車載カメラから出力される映像信号を、未加工のまま前記取得部で取得」とは、例えば映像信号の合成処理等の加工や、映像信号の一部を切り出す加工等の加工を施すことなく、車載カメラで得られた映像信号そのものを取得するものとすると良い。
【００２７】
（４）例えば前記処理部における処理の一部又は全部が、前記映像信号の記録又は通信による外部への出力のいずれか一方又は双方であるものとすると良い。
【００２８】
このようにすれば、車両メーカーからの出荷時に車両に装備されている車載カメラから出力された映像信号を記録したり、通信により外部に出力する処理を行ったりすることができる。車載カメラから出力された映像信号を車両メーカーからの出荷時から搭載されている車両側装置において用いるだけでなく、例えば記録部において記録して活用したり、通信により外部に出力して活用する等の用途に用いることが可能となる。
【００２９】
「処理部における処理の一部又は全部が、前記映像信号の記録又は通信による外部への出力」であるとは、処理部における処理として映像信号の記録や外部への出力以外に、例えば映像信号を表示装置等に表示させる表示処理等の処理を含むと良い。
【００３０】
（５）例えば通信回線に接続可能な通信部を備えており、前記取得部において取得された映像信号の一部又は全部を前記通信部を介してそのまま出力する処理、あるいは前記取得部において取得された映像信号の一部又は全部を処理部において処理してリアルタイムに前記通信部を介して出力する処理、あるいは前記取得部において取得された映像信号の一部又は全部を処理部において処理したものを一旦記憶してから前記通信部を介して出力する処理、の少なくともいずれかを行うものとすると良い。
【００３１】
このようにすれば、例えば取得部において取得された映像信号をそのまま通信部を介して出力する処理や、取得部において取得された映像信号を処理部において処理して通信部を介してリアルタイムに出力する処理、処理部において処理したものを一旦記憶してから通信部を介して出力する処理等を行うことができる。例えば、取得部において取得された映像信号をそのまま通信部を介して出力する処理を行えるようにすることにより、映像信号の出力先となる他の装置等において、車載カメラにより取得された映像信号をそのまま利用することができる。また、例えば取得部において取得された映像信号を処理部において処理して通信部を介してリアルタイムに出力する処理を行えるようにすることにより、映像信号の出力先となる他の装置等において、処理部で処理された映像信号をリアルタイムに利用することができる。また、例えば、処理部において処理したものを一旦記憶してから通信部を介して出力する処理を行えるようにすることにより、処理部での処理された映像信号を記憶させつつ、記憶された映像信号を映像信号の出力先となる他の装置等において利用することができる。
【００３２】
「前記取得部において取得された映像信号の一部」とは、取得部において取得された映像信号のうち、例えば複数の車載カメラから得られた映像信号のうち、一部の車載カメラから得られた映像信号等とすると良い。
【００３３】
「前記取得部において取得された映像信号の一部又は全部を処理部において処理してリアルタイムに前記通信部を介して出力する処理」とは、例えば映像信号を記録する記録処理や、映像信号を切り出しす処理、映像信号の明るさ、色合い、色調等を調整する処理等の処理を処理部において行いつつ、当該処理により得られた映像信号をリアルタイムに通信部を介して出力するする処理を行うこと等とすると良い。
【００３４】
（６）例えば外部メディアと接続可能なメディア接続部を備えており、前記処理部において処理された映像信号の一部又は全部を、前記メディア接続部を介して出力可能であるものとすると良い。
【００３５】
このようにすれば、処理部において処理された映像信号の一部又は全部をメディア接続部を介して外部メディアに出力することができる。これにより、例えば、処理部において処理された映像信号の一部又は全部を外部メディアにおいて記録等することができる。
【００３６】
なお、「外部メディア」は、例えばＳＤカードや、ｍｉｃｒｏＳＤカード、ＵＳＢフラッシュメモリー、ハードディスク、記録型ＣＤ、記録型ＤＶＤなど、適宜のものとすることができる。
【００３７】
（７）例えば前記車載カメラが、車室外に配置されたものであると良い。
【００３８】
このようにすれば、車室内に設置したカメラでは得にくい角度や位置で撮影された映像信号を取得することができる。
【００３９】
（８）例えば車両メーカーからの出荷時から前記車両の周囲をセンシングするために装備されている所定のセンサーからの出力情報をトリガとして前記処理部において前記映像信号を処理するものとすると良い。
【００４０】
このようにすれば、車両メーカーからの出荷時から車両の周囲をセンシングするために設置されている装備であるセンサーの出力信号を、処理部において映像信号を処理するためのトリガとして活用できる。そのため、例えば処理部において映像信号を処理するためのトリガを取得するために例えばセンサ等の検知装置等を、車両メーカーからの出荷後の車両に対して設ける必要がない。そのため、センサーの設置のために車両本体に穴開け等の加工を施したり、センサーに繋がる配線の配索作業等を行ったりすることなく使用できる。従って、センサー等の部品代や、センサー等を設置するための工賃等、設置に要する費用を最小限に抑制することができる。
【００４１】
車両メーカーからの出荷時に車両に装備されているセンサーを用いるものとするとよく、このようにすれば、撮影に最適な位置や環境等に配置されたセンサーから出力される出力信号に基づき、処理部において映像信号を処理することができる。
【００４２】
車両メーカーからの出荷時に車両に装備されているセンサーを用いるものとするとよく、このようにすれば、同一の車種であれば車両によらず略一定の位置及び環境等において映像信号を取得し、処理部において所定の処理を行うことができる。
【００４３】
「センサー」は、車両メーカーからの出荷時に車両に装備されているセンサーであればいかなるものであっても良いが、特に例えば車両に対していわゆる純正品や標準装備等として装備されているセンサーを用いると良い。センサーには、例えばクリアランスソナーやバックソナー、インテリジェントクリアランスソナー等に用いられるフロントサイドセンサー、フロントセンサー、バックサイドセンサー、バックセンサー等、適宜のものを選択して用いる構成とするとよい。上述した「センサー」の数は、いくつで有っても良いが、前述した様々なセンサーを複数用いることが望ましい。
【００４４】
（９）例えば前記車両が、所定の条件を満足することを条件として、危険を回避するための危険回避動作を実行するものであり、前記危険回避動作の実行トリガとなる信号に基づいて、前記処理部において前記映像信号を処理するものと良い。
【００４５】
このようにすれば、車両が危険回避動作を行う際に、映像信号について、例えば映像信号を記録する記録処理や、映像信号を他の機器等と通信する通信処理、映像信号を例えばモニタ等の表示装置等に表示するための処理等の所定の処理を行うことができる。車両が危険回避動作を実行するための実行トリガとなる信号を、処理部における処理の実行のためのトリガとして使用するものとすると良い。例えば危険回避すべき状況であるか否かの判断を行うための装置等を設けることなく、危険回避すべき状況において処理部において映像信号に所定の処理を施すことができ、その分だけ装置構成や動作を簡素なものとすることができる。
【００４６】
なお、「危険を回避するための危険回避動作」とは、車両に対する他の車両等の衝突等に備えてシートベルトを締め上げる動作や、エアバッグを作動させる動作、衝突回避のために自動的にブレーキを作動させるための動作、アンチロック・ブレーキ・システム（ＡＢＳ）を作動させる動作等、適宜のものとすると良い。
【００４７】
（１０）例えば前記出力部から出力された前記映像信号が入力される前記車両側装置に隣接する位置に配置する構成とすると良い。
【００４８】
このようにすれば、本装置と車両側装置との距離を最小限に抑制できる。これにより、例えば出力部と車両側装置とを有線により接続する場合には、接続用の配線を最小限に抑制することができる。これにより、例えば本装置から車両側装置に伝送される映像信号の通信速度の低下や品質の劣化を最小限に抑制できる。また、例えば出力部と車両側装置とを無線により接続する場合には、例えば通信不良の可能性や通信速度の低下、映像品質の劣化等を最小限に抑制できる。
【００４９】
（１１）例えば前記車両側装置が、複数の車載カメラから出力される映像信号を合成して合成映像を形成する映像合成装置とすると良い。
【００５０】
このようにすれば、車両側装置において合成映像を形成するために車載カメラから出力された画像を、車両側装置に入力されるよりも前に取得部において取得し、処理部において処理できる。また上述したように、本装置は、出力部を備えており、取得部により取得された映像信号を、車両メーカーからの出荷時に車両に装備されている前記車両側装置に向けて直接的あるいは間接的に出力すると良い。このようにすれば、車載カメラから出力された車両側装置に向けて映像信号を合成映像を形成するために出力することもできる。
【００５１】
「複数の車載カメラから出力される映像信号を合成して合成映像を形成する映像合成装置」は、例えば車両の駐車等を支援するために車両の周囲がどのような状況であるかを伝えるための合成映像を形成するための装置等とすると良い。
【００５２】
（１２）例えば車種に応じて設定変更可能な車種設定部を有し、前記車種設定部の設定変更を行うことにより、設定に応じた処理を行うものとすると良い。
【００５３】
このようにすれば、車種設定部の設定に応じ、本発明の装置を各種の車種において用いることができる。そのため、本装置は、車種毎に異なるものを準備する必要がない。
【００５４】
「車種設定部」は、例えばいわゆるディップスイッチのような機械的に設定変更可能なスイッチ類や、電気的あるいは電子的に設定変更可能なもの等とすると良い。
【００５５】
（１３）例えば前記車両側装置の一部又は全部が、前記映像信号を受信して映像を表示可能な映像表示装置であり、車両の運転状態を判別するための運転状態判別手段を有し、前記運転状態に応じて前記映像表示装置への画像の表示形態を切替可能であると共に、前記映像表示装置への画像の表示時に選択されていた表示形態を記録可能なものとすると良い。
【００５６】
運転状態判別手段により判別された運転状態に応じて、車両側装置をなす映像表示装置における画像の表示形態を切り替えると共に、どのような表示形態で画像が表示されていたかを記録することができる。例えば、車両がどのような運転状態で、どのような状況にあったかを紐付けて記録すると良い。このようにして得られた記録データは、例えば事故原因の特定や解析等に有効に利用できる。例えば、車両の運転状態がバックギアに設定された状態において、車両の周囲の状況がどのような状況であったかを紐付けて記録すると良い。
【００５７】
（１４）例えば前記車両側装置の一部又は全部が、前記映像信号を受信して映像を表示可能な映像表示装置であり、車両の運転状態を判別するための運転状態判別手段を有し、前記運転状態に応じて前記映像表示装置への画像の表示形態を切替可能であると共に、前記映像表示装置への画像の表示時に選択されていた表示形態、及び時間情報を記録する構成とすると良い。
【００５８】
運転状態判別手段により判別された運転状態に応じて、車両側装置をなす映像表示装置における画像の表示形態を切り替えると共に、どのような表示形態で画像が表示されていたかと、時間情報を記録することができる。また、どのような表示形態で画像が表示されていたかを時間情報と共に記録することにより、車両がいつ、どのような状況下にあったかを紐付けて記録することができる。このようにして得られた記録データは、例えば事故原因の特定や解析等に有効に利用できる。例えば、車両の運転状態がバックギアに設定された状態において、車両の周囲の状況及び時間情報を紐付けて記録すると良い。
【００５９】
（１５）例えば前記車載カメラから出力される映像信号に加え、前記車載カメラとは別に、車両メーカーからの出荷後に前記車両に増設された増設カメラから出力される映像信号を前記取得部において取得し、前記処理部において処理可能なものであり、前記増設カメラにより取得された映像と、前記車載カメラにより取得された映像とを区別して所定の処理を行うと良い。
【００６０】
車載カメラから出力される映像信号だけでなく、車両メーカーからの出荷後に車両に増設された増設カメラから出力される映像信号についても取得し、処理部において処理することができる。例えば車両メーカーからの出荷時に車両に設置されている車載カメラで取得できる映像信号よりも多くの映像信号を取得したい場合等に、車両メーカーからの出荷後に車両に増設カメラを増設し、その増設カメラにより取得された映像信号を利用することができる。増設カメラにより取得された映像と、車載カメラにより取得された映像とを区別して所定の処理を行える。そのため、例えば増設カメラにより取得された映像を、車載カメラにより取得された映像とは別の用途に用いたり、別の画像処理を加えて活用したりする等、様々な形態で利用することができる。
【００６１】
なお、「車両メーカーからの出荷後に前記車両に増設された増設カメラ」とは、例えばいわゆるディーラーオプションのように、ユーザーの希望に応じて車両メーカーから出荷された車両に増設するカメラや、いわゆるカーショップなどにおいて購入して増設するカメラ等とすると良い。
【００６２】
また、処理部において行われる「所定の処理」はいかなるものであっても良いが、例えば映像信号を記録する記録処理や、映像信号を他の機器等と通信する通信処理、映像信号を例えばモニタ等の表示装置等に表示するための処理等とすると良い。
【００６３】
（１６）例えば前記処理部において処理された映像信号に基づき、運転の安全度を評価する安全度評価部を備えていると良い。
【００６４】
このようにすれば、運転の安全度の評価を本発明の装置において行うことができる。これにより、例えば運転の安全度の評価のために他の機器等にかかる負荷を抑制することができ、例えばエッジコンピューティングの実現への貢献等に役立てることができる。
【００６５】
（１７）例えば前記処理部において処理された映像信号に基づく所定の演算処理を行う演算部と、通信回線に接続可能な通信部とを備えており、前記演算部による演算処理結果を、前記通信部を介して出力すると良い。
【００６６】
このようにすれば、演算部により映像信号に基づく所定の演算処理を本装置において行い、演算処理結果を通信部を介して出力することができる。これにより、例えば映像信号に基づく所定の演算処理を行うために他の機器等にかかる負荷を抑制することができ、例えばエッジコンピューティングの実現への貢献等に役立てることができる。
【００６７】
（１８）前記処理部において処理された映像信号に基づき、運転の安全度を評価する安全度評価部と、通信回線に接続可能な通信部とを備えており、前記安全度評価部による評価結果を、所定期間毎に前記通信部を介して出力可能であると良い。
【００６８】
このようにすれば、映像信号に基づく運転の安全度の評価を本装置において行うことができ、安全度評価のための処理を他の機器等に負担させることなく行うことができる。また、上述したように安全度評価部による評価結果を所定期間毎に通信部を介して出力することにより、評価結果を常時出力することとする場合に比べて通信負荷を抑制できる。
【００６９】
（１９）例えば前記処理部において処理された映像信号に基づき、運転の安全度を評価する安全度評価部と、前記安全度評価部による評価結果に基づいて、車両の運転に伴って発生する損害を保障する保険の保険料を導出する保険料導出部とを有すると良い。
【００７０】
このようにすれば、映像信号に基づく運転の安全度の評価に加え、評価結果に基づく保険料の導出まで本装置において行うことができる。これにより、安全度評価のための処理や保険料導出のための処理を、他の機器等に負担させることなく行うことができる。
【００７１】
（２０）前記車両側装置は、例えば上記（１）〜（１９）のいずれかに記載の装置が搭載されたものであると良い。
【００７２】
このようにすれば、車両側装置とは別に上述した装置を設ける必要がなくなる。これにより、装置構成のコンパクト化やシンプル化に貢献することができる。
【００７３】
（２１）プログラムは、例えば上記（１）〜（２０）のいずれかに記載の装置の機能を制御手段に実行させるためのものであると良い。
【００７４】
上述した構成は例示であり、一部を拡張したり、一部を限定してもよい。また、構成に矛盾の無い範囲で構成が組み合わされてもよい。例えば、上述した（１）から（２１）までの発明は、任意に組み合わせることができる。また、例えば（１）の全部または一部の構成を備えずに他の（２）から（２１）までの少なくともいずれか１つの構成を備えたものとしてもよい。但し特に、（１）の構成の全部または一部を備えて、（２）から（２１）までの少なくともいずれか１つの構成と組み合わせを備えるとよい。また（１）から（２１）までの少なくとも１つから任意の構成要素を抽出し、組み合わせてもよい。本願出願人はこれらのような構成についても特許権を取得する意思を有する。
【発明の効果】
【００７５】
本発明によれば、従来よりも優れた装置、及びプログラムを提供できる。
【図面の簡単な説明】
【００７６】
【図１】本発明の一実施形態であるドライブレコーダーが搭載される車両の構成を示す模式図である。
【図２】本発明の一実施形態であるドライブレコーダーが搭載される前に、車両メーカーからの出荷時から車両が備えているシステム構成を示した概略図である。
【図３】本発明の一実施形態に係るドライブレコーダーを車両に搭載した状態を示すシステム概略図である。
【図４】第一変形例に係るドライブレコーダーを車両に搭載した状態を示すシステム概略図である。
【図５】第二変形例に係るドライブレコーダーを車両に搭載した状態を示すシステム概略図である。
【図６】第三変形例に係るドライブレコーダーを車両に搭載した状態を示すシステム概略図である。
【図７】第四変形例に係るドライブレコーダーを車両に搭載した状態を示すシステム概略図である。
【図８】第五変形例に係るドライブレコーダーを車両に搭載した状態を示すシステム概略図である。
【図９】第六変形例に係るドライブレコーダーを車両に搭載した状態を示すシステム概略図である。
【図１０】第七変形例に係るドライブレコーダーを車両に搭載した状態を示すシステム概略図である。
【図１１】車載カメラ等により得られた画像の車両側映像表示器への表示形態の一例を示した画像図である。
【発明を実施するための形態】
【００７７】
続いて、本発明の装置の一実施形態であるドライブレコーダー１０、ドライブレコーダー１０に用いられるプログラム、及びドライブレコーダー１０を搭載した車両１００について、図面を参照しつつ詳細に説明する。なお、以下の説明においては、ドライブレコーダー１０の説明に先立って、車両１００の特徴部分について説明する。
【００７８】
図１及び図２に示すように、車両１００は、車載カメラ１１０、車両側映像合成装置１３０、センサー１５０等を装備したものとされている。車載カメラ１１０、車両側映像合成装置１３０、車両側映像表示器１４０、センサー１５０等は、車両メーカーからの出荷時から車両１００に搭載されているものであり、例えば、標準装備の純正品や、いわゆるメーカーオプションのように、ユーザーの希望に応じて車両メーカーが車両の製造時に設置されるもの等とされている。
【００７９】
車載カメラ１１０は、車両１００の車室外に配置されたカメラである。車載カメラ１１０は、車両１００の各部において映像を撮影し、映像信号として出力できる。車載カメラ１１０は、例えば、車両１００の運転者等に見せるための映像を取得するためのカメラや、自動運転や衝突防止動作等のために用いられるセンシング用のカメラとして搭載されたものである。車両１００の運転者等に見せるための映像を取得するためのカメラとして、車両１００は、例えばフロントカメラ１１２、フロントサイドビューカメラ１１４、サイドビューカメラ１１６Ｌ，１１６Ｒ、バックカメラ１１８、電子ルームミラー用カメラ１２０を装備している。
【００８０】
フロントカメラ１１２は、車両１００の前方に装備され、車両１００の正面の映像を撮影するためのカメラである。フロントサイドビューカメラ１１４は、車両１００の前方に装備され、車両１００の前側方の映像を撮影するためのカメラである。サイドビューカメラ１１６Ｌ，１１６Ｒは、それぞれ車両１００の左右側方に装備されたカメラである。バックカメラ１１８は、車両１００の後方に装備され、車両１００の後方側の映像を撮影するカメラである。電子ルームミラー用カメラ１２０は、車室内に配置された電子ルームミラーに写すための画像を撮影するカメラである。また、車両１００は、車載カメラとして、自動運転や衝突防止動作等のために用いられるカメラとして、センシングカメラ１２２を備えている。
【００８１】
車両側映像合成装置１３０は、車載カメラ１１０から取得される映像を利用する装置である。車両側映像合成装置１３０は、車載カメラ１１０と同様に、車両メーカーからの出荷時から車両に装備されている。車両側映像合成装置１３０は、例えばＣＡＮ等の有線回線、あるいは無線回線からなる通信回線１３２を介して車載カメラ１１０に対して接続されている。車両側映像合成装置１３０には、車載カメラ１１０から出力されて通信回線１３２を流れる映像信号を取得できる。
【００８２】
車両側映像合成装置１３０は、複数の車載カメラから出力される映像信号を合成して合成映像を形成する装置である。車両側映像合成装置１３０は、例えば、車両の駐車等を支援するために車両の周囲がどのような状況であるかを伝えるための合成映像を形成するもの等とされている。車両側映像合成装置１３０は、合成映像をなす映像信号を出力できる。
【００８３】
車両側映像表示器１４０は、例えば、液晶モニター等のように映像を表示するための専用装置、あるいはカーナビゲーション装置、レーダー装置、ドライブレコーダー等の装置に付随して設けられた液晶モニター等の表示装置等から構成されている。車両側映像表示器１４０は、車載カメラ１１０から出力された映像信号や、車両側映像合成装置１３０から出力された合成映像をなす映像信号を取得し、表示することができる。また、車両側映像表示器１４０に表示させる映像については、車両１００に設けられた映像切替スイッチ１４２によって切り替えることができる。映像切替装置１４２は、専用スイッチやカーナビゲーションシステムのパネルに表示されるスイッチ等とすることができる。
【００８４】
センサー１５０は、車両１００の周囲をセンシングするために装備されている。センサー１５０は、例えば、クリアランスソナーやバックソナー、インテリジェントクリアランスソナー等に用いられるフロントサイドセンサー、フロントセンサー、バックサイドセンサー、バックセンサー等とすると良い。センサー１５０は、車両１００の近傍に他の車両や人、建物等が存在していることを検知すると検知信号を出力できる。センサー１５０は、車両１００にいくつ取り付けられていても良いが、様々な種類のものが複数設けられていると良い。
【００８５】
車両１００は、所定の条件を満足することを条件として、危険を回避するための危険回避動作を実行できるものとされている。車両１００は、危険回避動作として、例えば、他の車両等の衝突等に備えてシートベルトを締め上げる動作、エアバッグを作動させる動作、衝突回避のために自動的にブレーキを作動させるための動作、アンチロック・ブレーキ・システム（ＡＢＳ）を作動させる動作等を行うものとされている。
【００８６】
また、車両１００は、上述した車載カメラ１１０とは別に、増設カメラ１６０を増設することができる。増設カメラ１６０は、車両１００が車両メーカーから出荷された後に車両１００に増設されたカメラである。増設カメラ１６０は、例えば、カーショップ等において車両メーカーからの出荷後の車両に対して後付けするために提供されているカメラや、車両メーカーからの出荷後、カーディーラー等においてユーザーの要望に応じて取り付けられるカメラ等とすることができる。
【００８７】
図２と図３を比較して明らかなように、ドライブレコーダー１０は、車両１００に対し、車両メーカーからの出荷後に増設される装置である。ドライブレコーダー１０は、車両１００内の任意の位置に設置することが可能であるが、例えば、車両側映像合成装置１３０に隣接する位置等に配置されると良い。図３に示すように、ドライブレコーダー１０は、取得部２０、処理部３０、及び出力部４０を備えている。ドライブレコーダー１０は、これらの構成に加え、通信部５０、メディア接続部６０を備えている。
【００８８】
取得部２０は、車載カメラ１１０と車両側映像合成装置１３０との間を流れる映像信号を取得するものである。取得部２０は、映像信号の合成処理等の加工や、映像信号の一部を切り出す加工等の加工を施すことなく、車載カメラ１１０で得られた映像信号そのものを未加工のまま取得する。取得部２０は、映像信号を取得するための入力端子２２を複数備えている。図２に示す例においては、入力端子２２ａ〜２２ｅからなる５つの端子が設けられている。入力端子２２ａは、フロントカメラ１１２あるいはフロントサイドビューカメラ１１４に繋がる入力ケーブル７２ａを接続するための端子である。同様に、入力端子２２ｂはサイドビューカメラ１１６Ｌに繋がる入力ケーブル７２ｂ、入力端子２２ｃはサイドビューカメラ１１６Ｒに繋がる入力ケーブル７２ｃ、入力端子２２ｄはバックカメラ１１８あるいは電子ルームミラー用カメラ１２０に繋がるに繋がる入力ケーブル７２ｄを接続するための端子である。入力端子２２ｅは、車両側映像合成装置１３０に繋がる入力ケーブル７２ｅを接続するための端子である。
【００８９】
処理部３０は、取得部２０により取得された映像信号に所定の処理を行うものである。処理部３０は、取得部２０により取得された映像信号を記録する機能（映像録画機能）を実現するための記録処理装置３０ａ、映像信号を他の機器等に向けて出力等するための通信処理を行う通信処理装置３０ｂ、映像信号を例えば車両側映像表示器１４０や別途設けられたモニタ等の表示装置等に表示させるための映像の合成を行う映像合成装置３０ｃ等を備えている。
【００９０】
出力部４０は、取得部２０により取得された映像信号を、車両メーカーからの出荷時に車両１００に装備されている車両側装置である車両側映像合成装置１３０に向けて直接的、あるいは他の機器等を介して間接的に出力できる。出力部４０は、映像信号を出力するための出力端子４２を複数備えている。図＠＠に示す例においては、出力端子４２ａ〜４２ｅからなる５つの端子が設けられている。出力端子４２ａは、フロントカメラ１１２あるいはフロントサイドビューカメラ１１４から取得した映像信号を出力するための出力ケーブル７４ａを接続するための端子である。同様に、出力端子４２ｂはサイドビューカメラ１１６Ｌから取得した映像信号を出力するための出力ケーブル７４ｂを接続するための端子、出力端子４２ｃはサイドビューカメラ１１６Ｒから取得した映像信号を出力するための出力ケーブル７４ｃを接続するための端子、出力端子４２ｄはバックカメラ１１８あるいは電子ルームミラー用カメラ１２０から取得した映像信号を出力するための出力ケーブル７４ｄを接続するための端子である。出力端子４２ｅは、車両側映像表示器１４０に繋がる出力ケーブル７４ｅを接続するための端子である。出力端子４２ｅから映像信号を出力することにより車両側映像表示器１４０に表示される映像は、映像切替スイッチ４４により切り替えることができる。
【００９１】
通信部５０は、通信回線に接続可能なものである。通信部５０は、取得部２０において取得された映像信号の一部又は全部をそのまま出力する処理を行うことができる。通信部５０は、例えばＬＴＥ（Ｌｏｎｇ  Ｔｅｒｍ  Ｅｖｏｌｕｔｉｏｎ）や、３Ｇ、４Ｇ、５Ｇ等の各種の移動通信規格からなる通信回線に接続して通信可能な通信回路を備えている。ドライブレコーダー１０は、通信部５０を介して、ユーザのスマートフォンやパーソナルコンピュータ等のクライアント端末からアクセス可能とされたクラウドコンピュータやサーバ等とデータを送受信可能とされている。
【００９２】
メディア接続部６０は、外部メディアと接続可能なものである。メディア接続部６０に接続可能な外部メディアは、例えばＳＤカードや、ｍｉｃｒｏＳＤカード、ＵＳＢフラッシュメモリー、ハードディスク、記録型ＣＤ、記録型ＤＶＤ等のメディアとすることができる。メディア接続部６０は、処理部３０において処理された映像信号の一部または全部を外部メディアに向けて出力し、外部メディアに情報を書き込む機能を備えている。
【００９３】
ドライブレコーダー１０は、車両メーカーの出荷段階から車両１００に用いられていたケーブル、及びケーブルハーネス７０を用いて、フロントカメラ１１２や、フロントサイドビューカメラ１１４、サイドビューカメラ１１６Ｌ，１１６Ｒ、バックカメラ１１８、電子ルームミラー用カメラ１２０、車両側映像合成装置１３０に対して映像信号を通信可能なように接続することにより車両１００に設置される。具体的には、入力ケーブル７２ａ〜７２ｅは、車両メーカーの出荷段階から車両１００においてフロントカメラ１１２や、フロントサイドビューカメラ１１４、サイドビューカメラ１１６Ｌ，１１６Ｒ、バックカメラ１１８、電子ルームミラー用カメラ１２０等の車載カメラ１１０を車両側映像合成装置１３０に接続するために用いられていたものが流用される。また、ケーブルハーネス７０は、出力ケーブル７４ａ〜７４ｅを結束したものであり、ドライブレコーダー１０と車両側映像合成装置１３０とを接続するために用いられる。ケーブルハーネス７０は、映像信号の品質を確保するために、車両メーカーからの出荷時から車両１００で使用されているものと略同一、あるいはそれ以上の品質で映像信号を通信可能なものとされる。
【００９４】
ドライブレコーダー１０は、車両メーカーからの出荷時から車両１００に搭載されているフロントカメラ１１２や、フロントサイドビューカメラ１１４、サイドビューカメラ１１６Ｌ，１１６Ｒ、バックカメラ１１８、電子ルームミラー用カメラ１２０等の車載カメラ１１０、及び車両側映像合成装置１３０から発信された映像信号を利用し、車両１００の略全周（略３６０度）の映像の記録、及び自動伝送を可能とする。具体的には、ドライブレコーダー１０は、車両メーカーからの出荷時から車両１００に搭載されている各種の車載カメラ１１０及び車両側映像合成装置１３０から発信された映像信号を取得部２０において取得できる。また、ドライブレコーダー１０は、取得部２０により取得された映像信号を、処理部３０による処理により記録する処理を行う。これと共に、ドライブレコーダー１０は、処理部３０により、各種の車載カメラ１１０から取得した映像信号を車両側映像合成装置１３０に出力したり、各種の車載カメラ１１０や車両側映像合成装置１３０から取得した映像信号を車両側映像表示器１４０に出力する等、ドライブレコーダー１０以外の他の機器等と通信する通信処理を行える。また、ドライブレコーダー１０は、通信部５０を介して通信回線に接続することにより、各種の車載カメラ１１０や車両側映像合成装置１３０から取得した映像信号等の情報を伝送できる。また、ドライブレコーダー１０は、メディア接続部６０を介して外部メディアに接続することにより、各種の車載カメラ１１０や車両側映像合成装置１３０から取得した映像信号等の情報を外部メディアに伝送できる。
【００９５】
また、ドライブレコータ１０は、各車載カメラ１１０により得られた画像を出力端子４２ｅを介して車両側映像表示器１４０に様々な形態で表示できる。例えば、図１１に示すように、車両側映像表示器１４０に複数の表示枠を設け、各表示枠に車載カメラ１１０や増設カメラ１６０から得られた画像を表示することができる。例えば、図１１に示すように、１番目の枠に増設カメラ１６０により得られた画像、２番目の枠に車両１００の左側方の画像、３番目の枠に車両１００の右側方の画像、４番目の枠に車両１００の前方の画像、５番目の枠に車両１００の後方の画像、６番目の枠に車両側映像合成装置１３０による合成処理により得られた車両１００の全周の画像を表示する等の形態で画像を表示することができる。
【００９６】
上述したように、本実施形態のドライブレコーダー１０は、車両メーカーからの出荷時に車両１００に装備されている車載カメラ１１０から出力され、取得部２０において取得された映像信号を処理部３０において所定の処理を行うと共に、出力部４０を介して映像信号を車両側映像合成装置１３０に向けて出力できる。これにより、車載カメラ１１０により撮影された映像を車両側映像合成装置１３０において活用するだけでなく、車両メーカーからの出荷時に増設される本実施形態のドライブレコーダー１０においても利用できる。
【００９７】
また、本実施形態のドライブレコーダー１０は、車両メーカーからの出荷時に車両１００に装備されている車載カメラ１１０を用いるものであり、車両メーカーからの出荷後に新たに車載カメラ１１０を車両１００に設置することなく使用できる。そのため、本実施形態のドライブレコーダー１０は、車両メーカーからの出荷後の車両１００に対し、車載カメラ１１０の設置のために車両１００本体に穴開け等の加工を施したり、車載カメラ１１０に繋がる配線の配索作業等を行ったりすることなく使用できる。従って、本実施形態のドライブレコーダー１０は、車載カメラ１１０等の部品代や、車載カメラ１１０等を設置するための工賃等、設置に要する費用を最小限に抑制することができる。
【００９８】
さらに、本実施形態のドライブレコーダー１０は、車両メーカーからの出荷時に車両１００に装備されている車載カメラ１１０を用いるものであるため、撮影に最適な位置や環境等に配置された車載カメラ１１０から取得された映像信号に対し、処理部３０において所定の処理を行うことができる。
【００９９】
また、本実施形態のドライブレコーダー１０は、車両メーカーからの出荷時に車両１００に装備されている車載カメラ１１０を用いるものであるため、同一の車種でれば車両１００によらず略一定の位置及び環境等において映像信号を取得し、処理部３０において所定の処理を行うことができる。
【０１００】
本実施形態のドライブレコーダー１０において、「車載カメラ１１０」は、例えば車両１００に対していわゆる純正品や標準装備等として装備されているカメラを用いることができる。具体的には、本実施形態において例示したフロントカメラ１１２や、フロントサイドビューカメラ１１４、サイドビューカメラ１１６Ｌ，１１６Ｒ、バックカメラ１１８、電子ルームミラー用カメラ１２０等、適宜のものを選択することができる。上述した「車載カメラ１１０」の数は、いくつで有っても良いが、前述した様々なカメラを複数用いることが望ましい。
【０１０１】
また、本実施形態では、「車両メーカーからの出荷時から車両１００に装備されている車両側装置」の例として、車両側映像合成装置１３０を例示したが、例えば各種カメラから入力される映像にエフェクトをかける等の加工を行うために純正品として装備されている映像加工装置や、カーナビゲーション装置、レーダー装置、ドライブレコーダー、液晶モニター等の映像表示装置等、適宜のものを採用することができる。
【０１０２】
また、「車両メーカーからの出荷時から備えている」ものとは、例えば標準装備の純正品として車両１００に設けられているものや、いわゆるメーカーオプションのように、ユーザーの希望に応じて車両メーカーが車両１００の製造時に設置するもの等を含むものである。一方、「車両メーカーからの出荷後に増設される装置」とは、例えばカーショップ等において車両メーカーからの出荷後の車両１００に対して後付けするために提供されているドライブレコーダー１０や、車両メーカーからの出荷後、カーディーラー等においてユーザーの要望に応じて取り付けられる部品等を含むものである。
【０１０３】
また、本実施形態において「車載カメラ１１０と車両側映像合成装置１３０との間を流れる映像信号」とは、車載カメラ１１０により取得された映像に係る電気的信号のことである。本実施形態では、車載カメラ１１０と車両側映像合成装置１３０との間を有線により構築された通信系統を介して車載カメラ１１０と車両側映像合成装置１３０との間を映像信号が流れるようにした例を示したが、本発明はこれに限定されるものではなく、無線により構築された通信系統を介して車載カメラ１１０と車両側映像合成装置１３０との間を映像信号が流れるようにしても良い。
【０１０４】
また、本実施形態において、取得部２０は、車載カメラ１１０と車両側映像合成装置１３０との間を流れる映像信号を直接的に取得するものであるが、本発明はこれに限定されるものではなく、車載カメラ１１０と車両側映像合成装置１３０との間を流れる映像信号を間接的に取得するものであっても良い。例えば、取得部２０は、車載カメラ１１０と車両側映像合成装置１３０とを有線あるいは無線で繋ぐ通信回線に対して例えば他の装置等を介して間接的に接続されるものであっても良い。
【０１０５】
また、本実施形態において、処理部３０は、映像信号を記録する記録処理を行うものであるが、処理部３０は取得部２０により取得された映像信号に所定の処理を行うものであれば良く、本実施形態において例示したものに限定されない。処理部３０は、映像信号を記録する記録処理に加えて、あるいは当該記録処理に代えて、映像信号を他の機器等と通信する通信処理、映像信号を例えばモニタ等の表示装置等に表示するための処理等を行うものであっても良い。
【０１０６】
また、本実施形態において、出力部４０は、取得部２０により取得された映像信号を、車両メーカーからの出荷時に車両１００に装備されている車両側映像合成装置１３０に向けて直接的に出力するものであるが、車両側映像合成装置１３０に向けて他の機器等を介して間接的に出力するものであっても良い。また、本実施形態では、出力部４０と車両側映像合成装置１３０とを有線により接続した例を示したが、本発明はこれに限定されず、無線により接続するものであっても良い。
【０１０７】
本実施形態のドライブレコーダー１０は、例えば車両側映像合成装置１３０として、映像信号を加工した加工映像信号を出力可能なものを備えており、取得部２０に加工映像信号を入力することにより、処理部３０において加工後の映像を記録可能なものとされている。このような構成によれば、取得部２０において車載カメラ１１０から取得された映像信号だけでなく、車両側映像合成装置１３０において加工して得られた加工映像信号についても処理部３０において記録処理することができる。
【０１０８】
本実施形態においては、取得部２０に加工映像信号を入力することにより処理部３０において行う処理として、加工映像信号を記録する記録処理を例示したが、本発明はこれに限定されるものではない。処理部３０において行う処理は、前述の記録処理に加えて、あるいは記録処理に代えて、加工映像信号を他の機器等と通信する通信処理、加工映像信号を例えばモニタ等の表示装置等に表示するための処理等とすることができる。
【０１０９】
本実施形態のドライブレコーダー１０は、車両１００に装備されている車載カメラ１１０から出力される映像信号を、未加工のまま取得部２０で取得し、処理部３０において記録する記録処理や、車両側映像表示器１４０に表示する処理等を行うことができる。
【０１１０】
本実施形態のドライブレコーダー１０は、車載カメラ１１０から出力される映像信号を、未加工のまま取得部２０で取得するものであり、例えば映像信号の合成処理等の加工や、映像信号の一部を切り出す加工等の加工を施すことなく、車載カメラ１１０で得られた映像信号そのものを取得するものであるが、本発明はこれに限定されない。例えば、ドライブレコーダー１０は、車載カメラ１１０から出力される映像信号から必要な部分だけを切り出したり、エフェクトをかけたりする等の加工を施したものを取得部２０において取得するものとしても良い。
【０１１１】
本実施形態のドライブレコーダー１０は、通信回線に接続可能な通信部５０を備えている。そのため、ドライブレコーダー１０は、例えば、取得部２０において取得された映像信号を通信部５０を介してそのまま出力する処理、あるいは取得部２０において取得された映像信号の一部又は全部を処理部３０において処理してリアルタイムに通信部５０を介して出力する処理、あるいは取得部２０において取得された映像信号の一部又は全部を処理部３０において処理したものを一旦記憶してから通信部５０を介して出力する処理等を行うことができる。
【０１１２】
例えば、取得部２０において取得された映像信号をそのまま通信部５０を介して出力する処理を行えるようにすることにより、映像信号の出力先となる他の装置等において、車載カメラ１１０により取得された映像信号をそのまま利用することができる。また、例えば取得部２０において取得された映像信号を処理部３０において処理して通信部５０を介してリアルタイムに出力する処理を行えるようにすることにより、映像信号の出力先となる他の装置等において、処理部３０で処理された映像信号をリアルタイムに利用することができる。また、例えば、処理部３０において処理したものを一旦記憶してから通信部５０を介して出力する処理を行えるようにすることにより、処理部３０での処理された映像信号を記憶させつつ、記憶された映像信号を映像信号の出力先となる他の装置等において利用することができる。
【０１１３】
なお、「取得部２０において取得された映像信号の一部」とは、取得部２０において取得された映像信号のうち、例えば複数の車載カメラ１１０から得られた映像信号のうち、一部の車載カメラ１１０から得られた映像信号等を指す。
【０１１４】
また、「取得部２０において取得された映像信号の一部又は全部を処理部３０において処理してリアルタイムに通信部を介して出力する処理」とは、例えば映像信号を記録する記録処理や、映像信号を切り出しす処理、映像信号の明るさ、色合い、色調等を調整する処理等の処理を処理部３０において行いつつ、当該処理により得られた映像信号をリアルタイムに通信部を介して出力するする処理を行うこと等を指す。
【０１１５】
本実施形態のドライブレコーダー１０は、例えばＳＤカードや、ｍｉｃｒｏＳＤカード、ＵＳＢフラッシュメモリー、ハードディスク、記録型ＣＤ、記録型ＤＶＤなど、適宜の外部メディアと接続可能なメディア接続部６０を備えている。また、ドライブレコーダー１０は、処理部３０において処理された映像信号の一部又は全部を、メディア接続部６０を介して出力可能である。そのため、ドライブレコーダー１０は、例えば、処理部３０において処理された映像信号の一部又は全部を外部メディアにおいて記録等することができる。
【０１１６】
なお、本実施形態で例示したドライブレコーダー１０は、メディア接続部６０を備えたものであるが、本発明はこれに限定されるものではなく、メディア接続部６０を備えていないものであっても良い。・
【０１１７】
また、本実施形態のドライブレコーダー１０は、車室外に配置された車載カメラ１１０において撮影された映像信号を用いるものである。そのため、ドライブレコーダー１０は、車室内に設置したカメラでは得にくい角度や位置で撮影された映像信号を取得することができる。
【０１１８】
なお、本実施形態では、車載カメラ１１０として車室外に配置されたもののみを用いた例を示したが、本発明はこれに限定されるものではない。例えば、車載カメラ１１０の一部又は全部が、車室内に設置されたものであっても良い。
【０１１９】
また、本実施形態のドライブレコーダー１０は、車両１００のいずれの箇所に配置するものであっても良いが、例えば出力部４０から出力された映像信号が入力される車両側映像合成装置１３０に隣接する位置に配置するものであると良い。かかる構成によれば、ドライブレコーダー１０と車両側映像合成装置１３０との距離を最小限に抑制できる。これにより、例えば出力部４０と車両側映像合成装置１３０とを有線により接続する場合には、接続用の配線を最小限に抑制することができる。これにより、例えばドライブレコーダー１０から車両側映像合成装置１３０に伝送される映像信号の通信速度の低下や品質の劣化を最小限に抑制できる。また、例えば出力部４０と車両側映像合成装置１３０とを無線により接続する場合には、ドライブレコーダー１０を車両側映像合成装置１３０に隣接する位置に配置することにより、例えば通信不良の可能性や通信速度の低下、映像品質の劣化等を最小限に抑制できる。
【０１２０】
本実施形態のドライブレコーダー１０は、車載カメラ１１０と車両側映像合成装置１３０とを繋ぐ配線系統の中間に配置された構成とされている。そのため、ドライブレコーダー１０は、車両側映像合成装置１３０において合成映像を形成するために車載カメラ１１０から出力された映像信号を、車両側映像合成装置１３０に入力されるよりも前に取得部２０において取得し、処理部３０において処理できる。また上述したように、ドライブレコーダー１０は、出力部４０を備えており、取得部２０により取得された映像信号を、車両メーカーからの出荷時に車両１００に装備されている車両側映像合成装置１３０に向けて直接的あるいは間接的に出力することができる。そのため、ドライブレコーダー１０は、車載カメラ１１０から出力された車両側映像合成装置１３０に向けて映像信号を合成映像を形成するために出力することもできる。
【０１２１】
なお、本実施形態において、「複数の車載カメラ１１０から出力される映像信号を合成して合成映像を形成する車両側映像合成装置１３０」は、例えば車両１００の駐車等を支援するために車両１００の周囲がどのような状況であるかを伝えるための合成映像を形成するための装置等とすることができる。
【０１２２】
≪第一変形例≫
以下、上述したドライブレコーダー１０の第一変形例について、図面を参照しつつ詳細に説明する。なお、第一変形例の説明に際し、上記実施形態と共通する構成については同一の符号を付し、詳細の説明については省略する。
【０１２３】
図４に示すように、ドライブレコーダー１０は、取得部２０がセンサ入力端子２４を備えている。センサ入力端子２４は、車両１００に装備されているセンサー１５０に対して配線接続するための端子である。具体的には、センサ入力端子２４は、クリアランスソナーやバックソナー、インテリジェントクリアランスソナー等に用いられるフロントサイドセンサー、フロントセンサー、バックサイドセンサー、バックセンサー等のセンサー１５０を接続できる。
【０１２４】
ドライブレコーダー１０は、センサー１５０から出力される検知信号をトリガとして処理部３０において映像信号を処理できる。具体的には、ドライブレコーダー１０は、センサー１５０から出力される検知信号がセンサ入力端子２４を介して入力されることを条件として、車載カメラ１１０から入力端子２２ｂ〜２２ｆに入力された映像信号を記録する記録処理を行う。
【０１２５】
上述した第一変形例のドライブレコーダー１０は、処理部３０において映像信号を処理するためのトリガを取得するためのセンサ等の検知装置等を、車両メーカーからの出荷後の車両１００に対して設ける必要がない。そのため、第一変形例のドライブレコーダー１０は、センサー１５０の設置のために車両１００本体に穴開け等の加工を施したり、センサー１５０に繋がる配線の配索作業等を行ったりすることなく使用できる。従って、第一変形例のドライブレコーダー１０は、センサー１５０等の部品代や、センサー１５０等を設置するための工賃等、設置に要する費用を最小限に抑制することができる。
【０１２６】
さらに、本変形例のドライブレコーダー１０は、車両メーカーからの出荷時に車両１００に装備されているセンサー１５０を用いるものであるため、撮影に最適な位置や環境等に配置されたセンサー１５０から出力される出力信号に基づき、処理部３０において映像信号を処理することができる。
【０１２７】
また、本変形例のドライブレコーダー１０は、車両メーカーからの出荷時に車両１００に装備されているセンサー１５０を用いるものであるため、同一の車種でれば車両１００によらず略一定の位置及び環境等において映像信号を取得し、処理部３０において所定の処理を行うことができる。
【０１２８】
本変形例のドライブレコーダー１０に対して接続されるセンサー１５０は、車両メーカーからの出荷時に車両１００に装備されているものであればいかなるものであっても良く、例えば車両１００に対していわゆる純正品や標準装備等として装備されているセンサー１５０を用いることができる。具体的には、本変形例のドライブレコーダー１０に対して接続されるセンサー１５０には、例えばクリアランスソナーやバックソナー、インテリジェントクリアランスソナー等に用いられるフロントサイドセンサー、フロントセンサー、バックサイドセンサー、バックセンサー等、適宜のものを選択することができる。また、ドライブレコーダー１０は、車両メーカーからの出荷時に車両１００に装備されているセンサー１５０の全てを接続可能なものであっても、車両メーカーからの出荷時に車両１００に装備されているセンサー１５０の一部のみを接続可能なものであっても良い。
【０１２９】
≪第二変形例≫
以下、上述したドライブレコーダー１０の第二変形例について、図面を参照しつつ詳細に説明する。なお、第二変形例の説明に際し、上記実施形態や上記変形例と共通する構成については同一の符号を付し、詳細の説明については省略する。
【０１３０】
本変形例のドライブレコーダー１０は、車両１００が、所定の条件を満足することを条件として、危険を回避するための危険回避動作を実行するものである場合に好適に利用可能なものである。図５に示すように、本変形例のドライブレコーダー１０は、取得部２０がトリガ取得部２６を備えている。トリガ取得部２６は、例えば、車両１００が備えているＣＡＮ等の車両側通信回線１７０に接続され、車両側通信回線１７０を流れる危険回避動作の実行トリガとなる信号を取得するものである。本変形例のドライブレコーダー１０は、トリガ取得部２６が危険回避動作の実行トリガとなる信号を取得することを条件として、処理部３０において映像信号について所定の処理を行う。
【０１３１】
本変形例のドライブレコーダー１０は、車両１００が危険回避動作を行う際に、映像信号について、例えば映像信号を記録する記録処理や、映像信号を他の機器等と通信する通信処理、映像信号を例えばモニタ等の表示装置等に表示するための処理等の所定の処理を行うことができる。本変形例のドライブレコーダー１０は、車両１００が危険回避動作を実行するための実行トリガとなる信号を、処理部３０における処理の実行のためのトリガとして使用するものである。そのため、本実施形態のドライブレコーダー１０は、例えば危険回避すべき状況であるか否かの判断を行うための装置等を設けることなく、危険回避すべき状況において処理部３０において映像信号に所定の処理を施すことができ、その分だけ装置構成や動作を簡素なものとすることができる。
【０１３２】
なお、本変形例において、「危険を回避するための危険回避動作」とは、車両１００に対する他の車両１００等の衝突等に備えてシートベルトを締め上げる動作や、エアバッグを作動させる動作、衝突回避のために自動的にブレーキを作動させるための動作、アンチロック・ブレーキ・システム（ＡＢＳ）を作動させる動作等、適宜のものとすることができる。
【０１３３】
また、本変形例のドライブレコーダー１０は、トリガ取得部２６が危険回避動作の実行トリガとなる信号を取得することを条件として、処理部３０において映像信号について所定の処理を行うものであれば良く、他の判定条件を処理部３０において映像信号について所定の処理を行うための条件として付加したものであっても良い。
【０１３４】
≪第三変形例≫
以下、上述したドライブレコーダー１０の第三変形例について、図面を参照しつつ詳細に説明する。なお、第二変形例の説明に際し、上記実施形態や上記変形例と共通する構成については同一の符号を付し、詳細の説明については省略する。
【０１３５】
図６に示すように、本変形例のドライブレコーダー１０は、車両１００の車種に応じて設定変更可能な車種設定部８０を有する。ドライブレコーダー１０は、車種設定部８０の設定変更を行うことにより、設定に応じた処理を行う。車種設定部８０は、例えば、いわゆるディップスイッチのような機械的に設定変更可能なスイッチ類や、電気的あるいは電子的に設定変更可能なもの等とされている。
【０１３６】
本変形例のドライブレコーダー１０は、車種設定部８０の設定に応じ、各種の車種において用いることができる。そのため、本変形例のドライブレコーダー１０は、車種毎に異なるものを準備する必要がない。
【０１３７】
≪第四変形例≫
以下、上述したドライブレコーダー１０の第四変形例について、図面を参照しつつ詳細に説明する。なお、第二変形例の説明に際し、上記実施形態や上記変形例と共通する構成については同一の符号を付し、詳細の説明については省略する。
【０１３８】
本変形例のドライブレコーダー１０は、車両メーカーからの出荷時から備えている車両側装置の一部又は全部として、映像信号を受信して映像を表示可能な車両側映像表示器１４０（映像表示装置）を備えた車両１００において好適に利用可能なものである。図７に示すように、本変形例のドライブレコーダー１０は、運転状態判別装置８２（運転状態判別手段）を備えている。
【０１３９】
運転状態判別装置８２は、車両１００の運転状態を判別するための装置である。運転状態判別装置８２は、取得部２０を構成する運転状態信号取得部２８と、処理部３０を構成する運転状態判別部３２とを有する。運転状態信号取得部２８は、車両１００が備えているＣＡＮ、ＬＡＮ等の通信回線等に接続され、当該通信回線等を流れる運転状態を示す信号（運転状態信号）を取得するものである。また、運転状態判別部３２は、運転状態信号取得部２８において取得された運転状態信号に基づき、例えば、バックギアに設定された状態であるのか、走行中の状態であるのか等、車両１００の運転状態を判別するものである。
【０１４０】
本変形例のドライブレコーダー１０は、運転状態判別装置８２により判別された運転状態に応じ、処理部３０により車両側映像表示器１４０への画像の表示形態を切り替える処理を行うと共に、車両側映像表示器１４０への画像の表示時に選択されていた表示形態、及び時間情報を記録可能である。例えば、ドライブレコーダー１０は、ギアをバックギアに入れた運転状態において、車両側映像表示器１４０への画像の表示形態を車両後方を写した画像に表示形態を切り替えると共に、車両側映像表示器１４０への画像の表示時に選択されていた表示形態が車両後方を写した画像であること、及びその時間情報を記録可能である。そのため、本変形例のドライブレコーダー１０は、車両１００がいつ、どのような状況下にあったかを紐付けて記録することができる。例えば、車両１００の運転状態がバックギアに設定された状態において、車両１００の周囲の状況及び時間情報を紐付けて記録することができる。このようにして得られた記録データは、例えば事故原因の特定や解析等に有効に利用できる。
【０１４１】
なお、本変形例では、運転状態判別装置８２の一例として運転状態信号取得部２８及び運転状態判別部３２の組み合わせにより構成した例を示したが、本発明はこれに限定されるものではなく、これらの構成に加えて、あるいはこれらの構成に代えて他の構成を加える等しても良い。
【０１４２】
≪第五変形例≫
以下、上述したドライブレコーダー１０の第五変形例について、図面を参照しつつ詳細に説明する。なお、第二変形例の説明に際し、上記実施形態や上記変形例と共通する構成については同一の符号を付し、詳細の説明については省略する。
【０１４３】
本変形例のドライブレコーダー１０は、車載カメラ１１０とは別に、車両メーカーからの出荷後に車両１００に増設された増設カメラ１６０を備えた車両１００において好適に利用可能なものである。図８に示すように、本変形例のドライブレコーダー１０は、取得部２０が増設カメラ用入力端子２３を備えている。
【０１４４】
増設カメラ用入力端子２３は、増設カメラ１６０に対して配線接続される端子である。本変形例のドライブレコーダー１０は、増設カメラ用入力端子２３を介して、増設カメラ１６０での撮影により得られた映像信号を取得できる。
【０１４５】
本変形例のドライブレコーダー１０は、車載カメラ１１０から出力される映像信号に加え、車載カメラ１１０とは別に、車両メーカーからの出荷後に車両１００に増設された増設カメラ１６０から出力される映像信号を取得部２０において取得し、処理部３０において処理可能なものであり、増設カメラ１６０により取得された映像と、車載カメラ１１０により取得された映像とを区別して所定の処理を行える。
【０１４６】
本変形例のドライブレコーダー１０は、車載カメラ１１０から出力される映像信号だけでなく、車両メーカーからの出荷後に車両１００に増設された増設カメラ１６０から出力される映像信号についても取得し、処理部３０において処理することができる。そのため、本実施形態のドライブレコーダー１０は、例えば車両メーカーからの出荷時に車両１００に設置されている車載カメラ１１０で取得できる映像信号よりも多くの映像信号を取得したい場合等に、車両メーカーからの出荷後に車両１００に増設カメラ１６０を増設し、その増設カメラ１６０により取得された映像信号を利用することができる。また、本変形例のドライブレコーダー１０では、増設カメラ１６０により取得された映像と、車載カメラ１１０により取得された映像とを区別して所定の処理を行える。そのため、例えば増設カメラ１６０により取得された映像を、車載カメラ１１０により取得された映像とは別の用途に用いたり、別の画像処理を加えて活用したりする等、様々な形態で利用することができる。
【０１４７】
なお、「車両メーカーからの出荷後に車両１００に増設された増設カメラ１６０」とは、例えばいわゆるディーラーオプションのように、ユーザーの希望に応じて車両メーカーから出荷された車両１００に増設するカメラや、いわゆるカーショップなどにおいて購入して増設するカメラ等を含むものである。
【０１４８】
また、本変形例のドライブレコーダー１０において、処理部３０で行われる「所定の処理」はいかなるものであっても良く、例えば映像信号を記録する記録処理や、映像信号を他の機器等と通信する通信処理、映像信号を例えばモニタ等の表示装置等に表示するための処理等とすることができる。
【０１４９】
≪第六変形例≫
以下、上述したドライブレコーダー１０の第六変形例について、図面を参照しつつ詳細に説明する。なお、第二変形例の説明に際し、上記実施形態や上記変形例と共通する構成については同一の符号を付し、詳細の説明については省略する。
【０１５０】
図９に示すように、本変形例のドライブレコーダー１０は、安全度評価部８４を備えている。安全度評価部８４は、処理部３０において処理された映像信号に基づき、運転の安全度を評価するものである。例えば、安全度評価部８４は、映像に映り込んでいる標識の画像に基づき法定速度を認識すると共に、実際の車速を割りだし、法定速度と車速とを比較することにより安全運転を行うドライバーであるのか否かを評価する処理を行うものとすると良い。また、安全度評価部８４による評価は、例えばＡ，Ｂ，Ｃ，Ｄ，Ｅの５段階のように段階評価とする方法や、１００点満点の点数評価にする方法等、適宜の方法で評価することが可能である。
【０１５１】
また、安全度評価部８４は、所定の周期毎に安全度の評価を行う。具体的には、安全度評価部８４は、週単位、日単位、月単位、時間単位等の所定の評価決定周期毎に評価を決定するものであると良い。また、安全度評価部８４は、前述の評価決定周期よりも短い周期毎に評価（以下、「仮評価」とも称する）を導出しておき、評価決定周期の満了時あるいはその後に、その評価決定周期内に導出された各仮評価を総合して安全度の評価を正式決定するものとすると良い。具体的には、評価決定周期を１週間とした場合、評価決定周期内の各日に仮評価を導出しておき、評価決定周期が満了した時点で各日の仮評価に基づいて総合的に判断することにより、当該評価決定周期における安全度評価を正式決定するようにすると良い。
【０１５２】
上述したように、本変形例のドライブレコーダー１０は、処理部３０において処理された映像信号に基づき、運転の安全度を評価する安全度評価部８４を備えている。そのため、本変形例のような構成とすれば、運転の安全度の評価を他の装置等に頼ることなく、ドライブレコーダー１０において行うことができる。これにより、例えば運転の安全度の評価のために他の機器等にかかる負荷を抑制することができ、例えばエッジコンピューティングの実現への貢献等に役立てることができる。
【０１５３】
本変形例のドライブレコーダー１０は、処理部３０において処理された映像信号に基づき、運転の安全度を評価する安全度評価部８４と、通信回線に接続可能な通信部５０とを備えており、安全度評価部８４による評価結果を、所定期間毎に通信部５０を介して出力可能であると良い。
【０１５４】
かかる構成によれば、映像信号に基づく運転の安全度の評価を本変形例のドライブレコーダー１０において行うことができ、安全度評価のための処理を他の機器等に負担させることなく行うことができる。また、上述したように安全度評価部８４による評価結果を所定期間毎に通信部５０を介して出力することにより、評価結果を常時出力することとする場合に比べて通信負荷を抑制できる。
【０１５５】
また、本変形例のドライブレコーダー１０は、処理部３０において処理された映像信号に基づき、運転の安全度を評価する安全度評価部８４と、安全度評価部８４による評価結果に基づいて、車両１００の運転に伴って発生する損害を保障する保険の保険料を導出する保険料導出部８６とを有すると良い。
【０１５６】
かかる構成によれば、映像信号に基づく運転の安全度の評価に加え、評価結果に基づく保険料の導出まで本変形例のドライブレコーダー１０において行うことができる。これにより、安全度評価のための処理や保険料導出のための処理を、他の機器等に負担させることなく行うことができる。安全度評価部８４は、例えば、安全度の評価が常時Ａ評価である優良ドライバーの保険料が、常時Ｃ評価であるドライバーの保険料よりも安価になるように保険料の見積もり額を導出したり、最低レベルのＥ評価であるドライバーについては、事故を起こすリスクを考慮して保険料の見積額を通常よりも相当高い金額として導出するようにしたりすると良い。
【０１５７】
また、上述したような処理を行えるようにすることで、保険料の導出が人手によらず、あるいは人手による作業を大幅に低減して行うことができる。そのため、本変形例のドライブレコーダー１０によれば、自動車保険に係る業務の全自動化に向けて大きな貢献を果たすことができる。また、本変形例のドライブレコーダー１０によれば、保険料導出に関する業務から人手を開放あるいは低減できるため、人手を必要とする顧客サポート業務や、事故のケアに割り当てる人手を増強できる。そのため、本変形例のドライブレコーダー１０は、自動車保険業界において好適に利用できる。
【０１５８】
ここで、自動車保険は、契約者が何百万人、何千万人という膨大な数の契約者がいるものと想定される。そのため、本実施例のドライブレコーダー１０のように、ドライバーの運転に関し安全度を評価し、個別に保険料の適正額を導出できるようにすれば、保険会社における保険料設定や算出の手間や、サーバー等の機器類に作用する負荷を大幅に削減できる。
【０１５９】
本変形例のドライブレコーダー１０は、車両メーカーからの出荷時から搭載されている車載カメラ１１０を活用するものであり、従来一般的に用いられているドライブレコーダーとは異なり、前方等の一方向の映像だけでなく、他方向の映像を用いて運転の安全度を全体的に評価できる。また、車載カメラ１１０は、車両メーカーからの出荷時から搭載されているものであり、設置のために追加費用がかからず、簡素な構成とすることができる。
【０１６０】
≪第七変形例≫
以下、上述したドライブレコーダー１０の第七変形例について、図面を参照しつつ詳細に説明する。なお、第二変形例の説明に際し、上記実施形態や上記変形例と共通する構成については同一の符号を付し、詳細の説明については省略する。
【０１６１】
図１０に示すように、本変形例のドライブレコーダー１０は、演算部８８を備えている。演算部８０は、処理部３０において処理された映像信号に基づき所定の演算処理を行うものである。演算部８０が行う演算は、例えば画像信号を処理するための演算処理や、上記第六実施例の安全度評価部８４による評価導出のための演算処理等とすれば良い。本変形例のドライブレコーダー１０は、演算部８８により演算処理を行えるため、エッジコンピューティングの実現のために有効である。
【０１６２】
また、本変形例のドライブレコーダー１０は、演算部８８による演算処理を行った後、その演算処理結果を通信部５０を介して出力可能である。そのため、本変形例のドライブレコーダー１０は、演算処理の対象となる映像信号や、情報量の多い大容量データそのものを通信部５０を介して通信するのではなく、映像信号や大容量データから得られる演算処理結果を通信部５０による通信対象とし、通信負荷を最小限に抑制できる。
【０１６３】
上述した各実施例における車載カメラは、例えばカラーの可視光カメラ（例えばＲＧＢを捉えるカメラ）のような通常のカメラとしてもよいが、少なくともいずれか１つのカメラは特殊なカメラとするとよい。特殊なカメラとしては、例えば、赤外カメラや、ＴｏＦカメラ、マルチスペクトルカメラ、ハイパースペクトルカメラ、サーモカメラの少なくともいずれか１つとするとよい。特殊なカメラは通常のカメラよりも高価であるが、車両のものを利用するため、コストをかけずに特殊なカメラの映像を利用した所望の処理を本装置にて実現できる。
【０１６４】
上述した各実施例における車載カメラとしては、特に通常のカメラと特殊なカメラの双方を備えるとよい。特に同一の領域を含んで撮影する通常のカメラと特殊なカメラの双方を備えるとよい。同一の領域を含んで撮影する通常のカメラと特殊なカメラの双方の映像を車両側から取得して双方の映像を利用した処理を行うとよい。
【０１６５】
本願発明は上述した実施の形態に記載の構成に限定されない。上述した各実施の形態や変形例の構成要素は任意に選択して組み合わせて構成するとよい。また各実施の形態や変 形例の任意の構成要素と、発明を解決するための手段に記載の任意の構成要素または発明 を解決するための手段に記載の任意の構成要素を具体化した構成要素とは任意に組み合わ せて構成するとよい。これらについても本願の補正または分割出願等において権利取得す る意思を有する。
【産業上の利用可能性】
【０１６６】
本発明の装置は、例えばドライブレコーダー等、あらゆる装置において好適に利用できる。
【符号の説明】
【０１６７】
１０  ドライブレコーダー
２０  取得部
３０  処理部
４０  出力部
５０  通信部
６０  メディア接続部
８０  車種設定部
８２  運転状態判別装置
８６  保険料導出部
１００  車両
１１０  車載カメラ
１３０  車両側映像合成装置
１５０  センサー
１６０  増設カメラ
【図１】
2020088705.tif 000003
【図２】
2020088705.tif 000004
【図３】
2020088705.tif 000005
【図４】
2020088705.tif 000006
【図５】
2020088705.tif 000007
【図６】
2020088705.tif 000008
【図７】
2020088705.tif 000009
【図８】
2020088705.tif 000010
【図９】
2020088705.tif 000011
【図１０】
2020088705.tif 000012
【図１１】
2020088705.tif 000013